(57)【特許請求の範囲】
【請求項１】
耕耘ロータ（１）の上部を覆う耕耘カバー（２）の後縁部（３）に、この耕耘ロータ（１）によって耕耘される耕耘土壌面を均平する均平板（４）と、この耕耘ロータ（１）によって耕耘される耕耘土壌面を溝切り培土する培土板（５）とに相互に切替え可能の板金製の整地器（６）を、前記後縁部（３）に沿って左右横方向の整地ヒンジ（７）の周りに上下回動可能にして連結し、
培土板（５）は左右方向中央部に逆台形状の溝切板（１１）と溝切板（１１）の左右両側端に設ける傾斜ヒンジ（１２）により後側へ回動する培土側板（１３）で構成され、溝切板（１１）と培土側板（１３）それぞれの背面にわたって拡縮リンク（３８）で連結し、培土側板（１３）の後退角度を変更設定可能に構成し、
耕耘カバー（２）の後端部の耕耘幅方向中央部にソケット（４１）設け、抵抗棒（４０）を昇降摺動可能とし、ソケット（４１）から後方へ突出するブラケット（４２）の後端部にフォークソケット（４３）を設け、下端部に尾輪（１６）を有した尾輪フォーク（１７）を昇降摺動可能とし、
抵抗棒（４０）を培土板（５）より前側に配置し、尾輪フォーク（１７）を培土板（５）より後側に配置する構成とし、
溝切板（１１）の左右中央部に前端縁を三角頂縁形状の培土縁（３９）を形成すると共に、培土縁（３９）の左右両側面を耕耘ロータ（１）と対向する平坦面とすることを特徴とする耕耘整地装置。
【発明の詳細な説明】
【技術分野】
【０００１】
この発明は、耕耘機や、管理作業機等の耕耘整地装置に関する。
【背景技術】
【０００２】
ハンドトラクタの耕耘カバーの後端縁部に、ゴム板を取付けて、このゴム板の形態を均平板と、培土板の形態に弾性変形することによって、均平作業と培土作業に切替えて作業する技術（例えば、特許文献１参照）が知られている。
【先行技術文献】
【特許文献】
【０００３】
【特許文献１】特開２００９ー２２５７３１（６頁、図４）。
【発明の概要】
【発明が解決しようとする課題】
【０００４】
一枚状板金製の均平板を変形して、培土板に切替可能とし、この切替構成、及び操作を簡単で、正確な均平、及び培土成形を行い、軽量化、及び小形化を図るものである。
【課題を解決するための手段】
【０００５】
請求項１に記載の発明は、耕耘ロータ（１）の上部を覆う耕耘カバー（２）の後縁部（３）に、この耕耘ロータ（１）によって耕耘される耕耘土壌面を均平する均平板（４）と、この耕耘ロータ（１）によって耕耘される耕耘土壌面を溝切り培土する培土板（５）とに相互に切替え可能の板金製の整地器（６）を、前記後縁部（３）に沿って左右横方向の整地ヒンジ（７）の周りに上下回動可能にして連結し、
培土板（５）は左右方向中央部に逆台形状の溝切板（１１）と溝切板（１１）の左右両側端に設ける傾斜ヒンジ（１２）により後側へ回動する培土側板（１３）で構成され、溝切板（１１）と培土側板（１３）それぞれの背面にわたって拡縮リンク（３８）で連結し、培土側板（１３）の後退角度を変更設定可能に構成し、
耕耘カバー（２）の後端部の耕耘幅方向中央部にソケット（４１）設け、抵抗棒（４０）を昇降摺動可能とし、ソケット（４１）から後方へ突出するブラケット（４２）の後端部にフォークソケット（４３）を設け、下端部に尾輪（１６）を有した尾輪フォーク（１７）を昇降摺動可能とし、
抵抗棒（４０）を培土板（５）より前側に配置し、尾輪フォーク（１７）を培土板（５）より後側に配置する構成とし、
溝切板（１１）の左右中央部に前端縁を三角頂縁形状の培土縁（３９）を形成すると共に、培土縁（３９）の左右両側面を耕耘ロータ（１）と対向する平坦面とすることを特徴とする耕耘整地装置の構成とする。
【０００６】
【０００７】
【０００８】
【０００９】
【００１０】
【００１１】
【００１２】
【発明の効果】
【００１３】
請求項１に記載の発明は、整地器６の均平作業位置と培土作業位置が上下に異なることに基づいて、均平板４と培土板５に相互に切替可能の板金製の整地器６を、整地ヒンジ７を介して耕耘カバー２の後端部３に上下回動可能に連結することによって、均平板４による耕耘土壌面の均平作用を行わせたり、又は培土板５による培土作用を行わせることができ、これら均平板４と培土板５との切替に、取付けや、取外し等の煩雑な操作を行うことなく、共用化して、小形化、軽量化を図る簡単な安価な構成とすることができて、安定した均平作業や培土作業を行うことができ、しかも、均平板４形態と培土板５形態との切替操作を簡単、容易に行うことができる。
【００１４】
また、溝切板１１の後面を尾輪フォーク１７で支持して、培土板５による培土作用を安定維持させることができる。
また、溝切り、乃至培土作用を行いやすくすることができる。
【００１５】
【００１６】
【００１７】
【００１８】
【図面の簡単な説明】
【００１９】
【図１】耕耘作業機全体の側面図。
【図２】その整地器の背面図。
【図３】その平面図。
【発明を実施するための形態】
【００２０】
図面に基づいて、ハンドトラクタは、ミッションケース２１の直下に、車輪２２を軸装１９する車輪伝動ケース２３を形成し、この車輪伝動ケース２３の後側に、耕耘ロータ１を軸装する耕耘伝動ケース２４を形成して、伝動ケースを側面視略へ字状形態に構成している。前記車輪伝動ケース２３の前側にフロントブラケット２０を設けて、この上側にエンジン２５を搭載する。このエンジン２５の横側に突出するエンジン軸２６と、前記ミッションケース２１の横側に突出する入力軸２７との各プーリ間に、ベルト２８を掛け渡して、テンションクラッチプーリ２９の圧接によって動力伝動を入り切りできる形態としている。
【００２１】
前記ミッションケース２１の後側上部にはハンドルフレーム３０を設けて、後端に左右一対のハンドル３１や、左右各車輪２２毎の伝動クラッチを入り切りするサイドクラッチレバー３２、車輪２２の伝動クラッチを入り切りする走行クラッチレバー３３、耕耘ロータ１７の伝動クラッチを入り切りする耕耘クラッチレバー３４等を配置している。又、ミッションケース２１の上側には、前記テンションクラッチプーリ２９を操作する主クラッチレバー３５を設けている。
【００２２】
前記耕耘ロータ１は、耕耘伝動ケース２４の下端部に軸装する耕耘軸３６に耕耘爪３７を配置して、この耕耘爪３７の回転によって、土壌を適宜の深さに耕耘しながら細土状態にして、上側の耕耘カバー２の内周面に案内させて後側へ耕耘移動し堆積するように耕耘することができる。前記耕耘カバー２は、耕耘伝動ケース２４に取付けられて、この耕耘ロータ１の回転上周面を覆う。この耕耘カバー２の後縁部３は、耕耘ロータ１の回転後端周縁部よりも若干後側へ突出させて、整地器６を連結する整地ヒンジ７を設け、整地器６は、この整地ヒンジ７の周りに上下回動自在にして装着される。
【００２３】
前記整地器６は、左右横方向の中央部に位置する逆台形状の溝切板１１と、この左右両側部に連結される台形状の培土側板１３とから構成される。この溝切板１１は、上縁８と下縁９を平行状に形成して、上縁８幅に対して下縁９幅を狭く形成している。この溝切板１１の左右両側端に形成される側縁１０は、逆八字状形態に形成されて、この側縁１０に沿って傾斜ヒンジ１２が設けられる。この溝切板１１の左右外側部に、培土側板１３を設けて、前記傾斜ヒンジ１２の周りに後側へ回動させることができ、これら溝切板１１と培土側板１３との後側面間にわたって拡縮リンク３８で連結し、この拡縮リンク３８の長さを変更して培土側板１３の後退角度を変更設定することができる。
【００２４】
これら溝切板１１と、この左右両側に連結される培土側板１３とによって構成される均平板４の形態は、全体として左右横方向に長方形の板状形態で、特に、溝切板１１の下縁９と、培土側板１３の下縁１４とは、左右方向一直線状に形成される。又、この下縁９、１４に沿って波形状の成形縁を形成する形態にあっては、この成形縁が左右方向一直線状に沿うように形成される。
【００２５】
このような均平板４の形態から、拡縮リンク３８の開度を縮小することによって、左右の培土側板１３を傾斜ヒンジ１２の周りに後側へ回動させて培土板５の形態とすることによって、この培土板５の下縁１４が、溝切板１１の左右両端部から上り傾斜の状態となって、この溝切板１１の下縁９で形成される培土溝の底面から上方へ後退するように形成されて、培土抵抗を軽減する状態となる。
【００２６】
前記溝切板１１の中央部には、前端縁を三角頂縁に尖らせた培土縁３９を形成して、溝切り、乃至培土作用が行われ易い形態としている。この溝切板１１の下部後側面にウエイトボード５０を着脱自在に取付け、又は溶接等により一体的に固着して、この溝切板１１の下半部の剛性を高め、溝切板１１のウエイトとして自重を増して、溝切作用を安定させるように構成している。
【００２７】
このように板金製で形成される均平板４、及び培土板５は、下縁９、１４や、側縁１０等を剛性高く形成することができ、又、溝切板１１の側縁１０や、培土側板１３が、この傾斜ヒンジ１２によって補強されて、耕耘土壌面の均平面や、培土溝底面、乃至培土畝法面等の成形をきれいに、正確に仕上げ成形することができる。
【００２８】
前記整地器６の後側部には、尾輪１６を昇降する尾輪フォーク１７を設け、前側部には抵抗棒４０の昇降可能に設ける。前記耕耘カバー２後端部に抵抗棒４０の昇降できるソケット４１を設け、このソケット４１から後方へ突出するブラケット４２の後端にフォークソケット４３を設けて、このフォークソケット４３に尾輪フォーク１７を昇降可能に嵌挿支持させている。又、これらソケット４１に対する抵抗棒４０の昇降摺動や、フォークソケット４３に対する尾輪フォーク１７の昇降摺動等は、これらの嵌合摺動部間のピン穴にわたって抜き差しするセットピン（図面省略）によって係止することができる。
【００２９】
前記抵抗棒４０は、耕耘ロータ１の中央部で左右両側の回転する耕耘爪３７の間隔部に位置して、昇降可能に設けられ、後側下りの傾斜に向けて下降する形態に構成される。前記培土板５は、この耕耘ロータ１の回転後側面、及び抵抗棒４０の後側部に接近した位置に、溝切板１１が垂下状態となるように構成する。培土板５による培土作業を行う場合等において、抵抗棒４０を不要とする場合は、この抵抗棒４０を最上位置、乃至耕耘ロータ１の回転底面位置よりも適宜上位置に上昇し、固定させておくことができる。
【００３０】
前記尾輪フォーク１７の下部には、ベルクランク状に形成した押え具１８の一端辺部４４を取付けて、この尾輪フォーク１７の昇降によって押え具１８を昇降させるとともに、この尾輪フォーク１７を下降させたときは、尾輪１６を溝切板５の下縁９より形成される培土溝の底面に接地させると共に、この押え具１８の他端辺部４５を溝切板５の後側面に接近させる構成とする。
【００３１】
前記整地器６を均平板４として、耕耘土壌面を均平するときは、尾輪フォーク１７を上昇位置にして尾輪１６の位置を上限位置に固定させるが、又は上下動自在の状態にする。これの状態で耕耘ロータ１による耕耘作業を行うと、この土壌面上に均平板４が押上げられて、この均平板４の後端下面が土壌面に押圧されて、均平作用が行われる。
【００３２】
このとき尾輪１６が上下動自在の状態であるときは、均平板４に常時尾輪１６の押圧力が働いて、鎮圧均平を効果的に行うことができる。
又、整地器６を培土板５として、耕耘土壌を溝切り培土するときは、培土板５は培土ヒンジ７の周りに下方垂直状態に回動垂下して、溝切板１１が耕耘ロータ１の回転後側面に接近して培土姿勢となると共に、尾輪１６を培土溝底面に接する位置まで下降する。このとき尾輪フォーク１７の前側に位置する押え具１８の前端辺部４５が溝切板１１の後面に接近する。そして、この培土板５の溝切板１１が培土抵抗によって後側へ押されたり、歪むと、この溝切板１１の後面を押え具１８を介して尾輪フォーク１７で支持して、培土板５による培土作用を安定維持させるものである。
【符号の説明】
【００３３】
１  耕耘ロータ
２  耕耘カバー
３  後縁部
４  均平板
５  培土板
６  整地器
７  整地ヒンジ
８  上縁
９  下縁
１０  側縁
１１  溝切板
１２  傾斜ヒンジ
１３  培土側板
１４  下縁
１５  均平縁
１６  尾輪
１７  尾輪フォーク
１８  押え具
４０  抵抗棒
【図１】
0005682262.tif 000002
【図２】
0005682262.tif 000003
【図３】
0005682262.tif 000004